(57)【要約】【課題】１次導体として必要な端子部の導体幅，および主回路電流に対応した通電容量を確保しつつ、１次導体が貫通する環状鉄心を扁平化して占有スペース幅の縮小化が図るようにした貫通形変流器を提供する。【解決手段】２次コイル２を巻装した環状鉄心１に１次導体３を嵌挿配置した貫通形変流器で、その１次導体３が両端を端子部とする平角導体であるものにおいて、環状鉄心の形状を長円形としてその長軸穴径ｂ２を１次導体の平角導体幅ｄ１に対応して設定し、かつ１次導体の鉄心貫通部に形成した括れ部３ｂの導体幅ｄ２を鉄心の短軸内径ｂ２に対応した寸法に縮小した上で、変流器の組立時には平角導体を縦向きにして鉄心の長軸方向から嵌挿し、次いで平角導体の向きを横向きに９０°変えて括れ部３ｂが鉄心の短軸内径に納まるようにして組み立てる。【選択図】        図１
2006066718.tif 000002
【特許請求の範囲】
【請求項１】
２次コイルを巻装した環状鉄心に１次導体を嵌挿配置した貫通形変流器であり、前記１次導体が両端を端子部とする平角導体であるものにおいて、
前記環状鉄心の形状を長円形としてその長軸穴径を１次導体の平角導体幅に対応して設定し、かつ１次導体における鉄心貫通部の導体幅を鉄心の短軸内径に対応した寸法に縮小した上で、変流器の組立時には前記平角導体の向きを鉄心の長軸方向に合わせて定位置に嵌挿し、次いで平角導体の向きを９０°変えて鉄心の短軸方向にセットしたことを特徴とする貫通形変流器。
【請求項２】
請求項１記載の変流器において、１次導体の鉄心貫通部には平角導体の左右側縁を凹状に切欠して導体幅を縮小したことを特徴とする貫通形変流器。
【請求項３】
主回路の各相に対応する複数の貫通形変流器をケース内に並置配備して構成した電流計測装置において、その変流器に請求項１記載の貫通形変流器を採用し、かつ各相の変流器については平角１次導体の向きを揃えて横一列の向きに配置したことを特徴とする電流計測装置。
【発明の詳細な説明】
【技術分野】
【０００１】
本発明は、配線用回路遮断器と組み合わせて配電盤の主幹，分岐配電路の通電情報を計測，表示する装置などに搭載して主回路電流を検出する貫通形変流器、およびその貫通形変流器で構成する電流計測装置に関する。
【背景技術】
【０００２】
配線用回路遮断器に付属して通電情報を計測表示する頭記計測表示装置の例として特許文献１が知られている。また、該計測表示装置に関する提案が本発明と同一出願人より特願２００４−１１７４０７号として先に出願されている。この計測表示装置は配電盤内に設置した配線用回路遮断器に直結して使用するもので、そのケース内には主回路の各相に対応する複数の貫通形変流器が組み込まれており、その従来の構造を図３，図４に示す。
図において、１は貫通形変流器の環状鉄心、２は鉄心１の円環に沿ってドーナツ状に巻装した２次コイル、３は鉄心１の内径穴に嵌挿した１次導体、４はＵ，Ｖ，Ｗ相に対応する３個の貫通形変流器を搭載した電流計測装置のケースである。
ここで、１次導体３には平角導体が用いられており、該平角導体の両端に端子ネジ穴３ａを開口して端子部を形成し、また平角導体幅ｄは主回路の通電容量,および両端の端子部に螺合する端子ネジのサイズに合わせて設定している。一方、変流器の環状鉄心１は外径Ｒ１，内径Ｒ２の丸形鉄心であり、その内径Ｒ２は１次導体３を通すために平角導体幅ｄよりも若干大きめである。そして、図４で示すようにケース４の内部にＵ，Ｖ，Ｗ相に対応する３個の貫通形変流器を横一列に配置して電流計測装置を構成している。なお、図示してないが各相の導体の間は相間隔壁で仕切られている。
【特許文献１】特開２０００−７４９５２号公報
【発明の開示】
【発明が解決しようとする課題】
【０００３】
図４のようにケース４の内部に主回路のＵ，Ｖ，Ｗ相の各相に対応する貫通形変流器を並置して電流計測装置を構成する場合に、変流器の１次導体を平形導体として該導体に図３に示した丸形鉄心１を嵌挿した従来構成では、鉄心１の外径をＲ１として、ケース４内には３×Ｒ１以上のスペース幅Ｌ１を確保する必要がある。
一方、電流計測装置を小形化するために、ケース４内に組み込む変流器に外径Ｒ１の小さな丸形鉄心１を採用したとすると、その鉄心１の内径Ｒ２に合わせて平角１次導体３の導体幅ｄも狭めなければならず、その結果、端子部として必要な寸法幅が確保できなくなるおそれがあるほか、１次導体としての通電容量が不足して主回路電流の通電に伴う発熱，温度上昇も問題となる。
本発明は上記の点に鑑みなされたものであり、その目的は前記課題を解決し、１次導体として必要な端子部の導体幅，および主回路電流に対応した通電容量を確保しつつ、この１次導体が貫通する環状鉄心を扁平化して占有スペース幅の縮小化を図るようにした貫通形変流器，およびこの貫通形変流器を用いて構成した電流計測装置を提供することにある。
【課題を解決するための手段】
【０００４】
上記目的を達成するために、本発明によれば、２次コイルを巻装した環状鉄心に１次導体を嵌挿配置した貫通形変流器であり、前記１次導体が両端を端子部とする平角導体であるものにおいて、
前記環状鉄心の形状を長円形としてその長軸穴径を１次導体の平角導体幅に対応して設定し、かつ１次導体における鉄心貫通部の導体幅を鉄心の短軸内径に対応した寸法に縮小した上で、変流器の組立時には前記平角導体の向きを鉄心の長軸方向に合わせて定位置に嵌挿し、次いで平角導体の向きを９０°変えて鉄心の短軸方向にセットした構成とし（請求項１）、その具体的な態様として、１次導体の鉄心貫通部には平角導体の左右側縁を凹状に切欠して導体幅を縮小した構造とする（請求項２）。
一方、主回路の各相に対応する複数の貫通形変流器をケース内に並置配備して構成した電流計測装置において、本発明によれば、前記した構成の貫通形変流器を採用し、かつ各相の変流器については平角１次導体の向きを揃えて横一列の向きに配置するものとする（請求項３）。
【発明の効果】
【０００５】
上記の構成によれば、環状鉄心の形状を扁平な長円形とすることで、該鉄心を貫通する１次導体としての平角導体は、鉄心貫通部において局部的に導体幅が縮小するものの、それ以外は必要な通電容量，端子部に見合った導体幅を確保することができる。これにより、環状鉄心に丸形鉄心を採用した従来の貫通形変流器と比べて、変流器の配置スペース幅が縮小する。
また、電流計測装置のケースに搭載する主回路各相の変流器に前記構成の貫通形変流器を採用し、かつ各相の変流器については平角１次導体の向きを揃えて横一列の向きに配置することで、装置の小形化が可能となる。
【発明を実施するための最良の形態】
【０００６】
以下、本発明の実施の形態を図１，図２に示す実施例に基づいて説明する。なお、実施例の図中で図３，図４に対応する部材には同じ符号を付してその詳細な説明は省略する。
図１（ａ）〜（ｄ）において、貫通形変流器の環状鉄心１は長円形であり、該鉄心を貫通する１次導体３の平角導体には、鉄心貫通部において導体幅を多少縮小した括れ部３ｂを形成している。すなわち、平角１次導体３の導体幅ｄ１は図３の導体幅ｄに対応しており、長手方向の中間部位には環状鉄心１の厚さ（軸方向の寸法）に対応した領域で左右側縁に凹部３ｃを切欠して導体幅がｄ２に縮小した括れ部３ｂを形成している。
一方、長円形の環状鉄心１は、図１（ｃ）で表すように長軸方向の外径をａ１，内径をａ２、短軸方向の外径をｂ１，内径をｂ２として、長軸内径ａ２が１次導体３の導体幅ｄ１に対応し、短軸内径b２が１次導体３の括れ部導体幅ｄ２に対応するように設定されている。つまり、図１における鉄心１の長軸外径ａ１，内径ａ２はそれぞれ図３における丸形鉄心１の外径Ｒ１，内径Ｒ２に対応し、短軸外径ｂ１，内径ｂ２は図３の丸形鉄心の外径，内径よりも短小である。
【０００７】
そして、環状鉄心１に１次導体３を嵌挿する変流器の組立工程では、まず図１（ｂ）のように平角１次導体３の向きを鉄心１の長軸方向に合わせた縦向き姿勢で嵌入し、鉄心１を図示鎖線位置に移動したところで、１次導体３の平角導体を図１（ｃ）の縦向きから（ｄ）の横向きに９０°変え、１次導体３の括れ部３ｂが鉄心１の短軸内径ｂ２の範囲に納まるようにして定位置にセットする。この構成では、環状鉄心１の貫通部において１次導体３の平角導体幅が局部的にｄ２に縮小するものの、両端の端子部を含めて長手方向の大半では導体幅がｄ１である。これにより、１次導体３として必要な通電容量および端子部の寸法を確保しつつ、環状鉄心１の横幅が従来の丸形鉄心と比べて縮小する。
また、上記構成の貫通形変流器を搭載して主回路の電流計測装置を構成する場合には、図２で示すようにＵ，Ｖ，Ｗ相の各相に対応する３基の貫通形変流器を、各相の平角１次導体３が横一列に並ぶように向きを揃えて配置する。
【０００８】
この構成により、ケース４内で各相の変流器が占有するスペース幅Ｌ２は、図４の従来例のスペース幅Ｌ１と比べて、環状鉄心１が扁平になった分だけ縮小することができ、これにより装置の小形化が可能となる。
【図面の簡単な説明】
【０００９】
【図１】本発明の実施例による貫通形変流器の構成図で、（ａ）は組立状態の外観斜視図、（ｂ）は環状鉄心に１次導体を嵌挿する組立工程の説明図、（ｃ）および（ｄ）はそれぞれ（ｂ），（ａ）に対応した組立状態を表す断面図
【図２】図１の貫通形変流器を搭載して構成した電流計測装置の構成を模式的に表した図
【図３】貫通形変流器の従来構成図で、（ａ）は概観斜視図、（ｂ）は端面図
【図４】図３の貫通形変流器を搭載して構成した電流計測装置の構成を模式的に表した図
【符号の説明】
【００１０】
１    環状鉄心
２    ２次捲線
３    １次導体
３ａ  端子ネジ穴（端子部）
３ｂ  括れ部（導体幅縮小部）
４    電流計測装置のケース
ｄ１  平角導体の導体幅
ｄ２  括れ部の導体幅
ａ２  長円形環状鉄心の長軸内径
ｂ２  長円形環状鉄心の短軸内径
【図１】
2006066718.tif 000003
【図２】
2006066718.tif 000004
【図３】
2006066718.tif 000005
【図４】
2006066718.tif 000006